(57)【要約】  【課題】装着時に容易におむつを引上げでき、前身頃及び／又は後身頃において身体との密着性に優れたパンツ型使い捨ておむつを提供する。  【解決手段】吸収体１３を含む吸収性本体１０と、この吸収性本体１０の外面側に一体的に設けられた外装シート２０とを備えたパンツ型使い捨ておむつ１において、前記外装シート２０は、前身頃Ｆ及び／又は後身頃Ｂに、前記ウエスト開口部縁２３又はその近傍を始端として股下側に延び、股下側で迂回して再び前記ウエスト開口部縁２３又はその近傍に至るとともに、股下側に向かう往曲線と、股下側から戻る復曲線との幅が前記ウエスト開口部縁２３から股下側に向かって漸次狭まるように配置された複数の装着用弾性部材２８…、２９…を備える。【選択図】図１
2006271450.tif 000002
【特許請求の範囲】
【請求項１】
吸収体を含む吸収性本体と、この吸収性本体の外面側に一体的に設けられた外装シートとを備え、製品状態で前記外装シートの前身頃と後身頃とが、その両側端の接合縁部において接合されることによりウエスト開口部及び左右一対のレッグ開口部が形成されたパンツ型使い捨ておむつにおいて、
前記外装シートは、前身頃及び／又は後身頃に、前記ウエスト開口部縁又はその近傍を始端として股下側に延び、股下側で迂回して再び前記ウエスト開口部縁又はその近傍に至るとともに、股下側に向かう往曲線と、股下側から戻る復曲線との幅が前記ウエスト開口部縁から股下側に向かって漸次狭まるように配置された１又は複数の装着用弾性部材を備えることを特徴とするパンツ型使い捨ておむつ。
【請求項２】
前記装着用弾性部材の股下側迂回部は、前身頃と後身頃との折り畳み線より±１００mmの範囲に位置する請求項１記載のパンツ型使い捨ておむつ。
【請求項３】
前記外装シートは、前記ウエスト開口部周りに配置されたウエスト部弾性部材及び／又は前記前身頃及び前記後身頃におけるそれぞれの一方の接合縁部から他方の接合縁部に亘り、上下方向に間隔をおいて互いに略平行に配設された複数の腰周り弾性部材を備え、
前記ウエスト部弾性部材及び／又は腰周り弾性部材は、該弾性部材の周面に塗布された接着剤によって前記外装シートに固着され、前記装着用弾性部材は、少なくとも前記ウエスト部弾性部材及び／又は腰周り弾性部材の配設領域において、該装着用弾性部材の周面に接着剤が塗布されることなく、前記ウエスト部弾性部材及び／又は腰周り弾性部材との交差部において、該ウエスト部弾性部材及び／又は腰周り弾性部材の周面に塗布された接着剤によって固着されている請求項１〜２いずれかに記載のパンツ型使い捨ておむつ。
【請求項４】
前記装着用弾性部材は、前記吸収性本体の上下縁と交差するように配置されている請求項１〜３いずれかに記載のパンツ型使い捨ておむつ。
【請求項５】
前記装着用弾性部材は、前記吸収性本体の両側縁と交差するように配置されている請求項１〜３いずれかに記載のパンツ型使い捨ておむつ。
【請求項６】
前記装着用弾性部材は、前記吸収性本体の両側縁と交差するように配置されているとともに、少なくとも前記吸収性本体上の横断領域において、外装シートに対して上下方向に間隔をおき水平方向に沿って複数条の列を成すように塗布された接着剤によって固着されるとともに、前記接着剤の間隔幅と前記装着用弾性部材間の接着剤間隔幅方向の離間幅との比がほぼ整数倍に設定され、かつ前記吸収性本体上において、前記装着用弾性部材がおむつ長手方向に沿うライン上で切断され不連続とされる請求項１〜３いずれかに記載のパンツ型使い捨ておむつ。
【発明の詳細な説明】
【技術分野】
【０００１】
本発明は、装着し易さと身体へのフィット性とを向上させたパンツ型使い捨ておむつに関する。
【背景技術】
【０００２】
従来より、図１６に示されるようなパンツ型紙おむつが知られている。この使い捨て紙おむつは、透液性トップシート５２と、ポリエチレン等からなる防水フィルム５３と、これら両シート間に介在された吸収体５４とからなる紙おむつ本体５０の外面側に本体バックシート５１を設けた構造のものである。
【０００３】
前記本体バックシート５１は、表面バックシート５５と裏面バックシート５６との二層構造となっており、これら両シート間５５，５６には、紙おむつの腰部開口部を封止する腰周り弾性部材５７…，５８…が配設されるとともに、腹部および背部のそれぞれに対してずり落ちを防止するとともに、フィット性を確保するために腹側弾性部材５９、…および背側弾性部材６０，…、並びに脚周りを封止する脚周り第１弾性部材６１，…と脚周り第２弾性部材６２、…とが設けられている（下記特許文献１等参照）。
【０００４】
また、図１７に示されるように、おむつ本体６０の前身頃側と後身頃側のそれぞれにおいて、左右方向に沿って複数の弾性部材６１、６１…を配設するとともに、ウエスト開口部側から股下部側に向かうにつれて、その弾性部材がウエスト開口部側から股下部側に凸状に湾曲するように配されているパンツ型使い捨ておむつが知られている（例えば、特許文献２参照）。
【特許文献１】特開平１０−１２７６８７号公報
【特許文献２】特開２００１−２０４７６２号公報
【発明の開示】
【発明が解決しようとする課題】
【０００５】
しかしながら、上記特許文献２の場合、複数の弾性部材６１、６１…のうち、股下部側の弾性部材を湾曲させることにより、おむつ自体やおむつの吸収体を身体にフィットさせるようになっているが、おむつを腰周りに安定させるための作用力となる弾性部材６１の収縮力が弱くなってしまい、おむつが腰周りからずり落ちやすくなってしまうという問題があった。
【０００６】
また、パンツ型使い捨ておむつ（紙おむつ）の着用者は、高齢であることや、疾病や障害などの影響により体力が低下するなどし、腕力が弱かったり、腕が背中側や臀部側に十分にまわらなかったりする場合がある。そして、そのような着用者が紙おむつを使用する際に、紙おむつの前身頃側や脇部側を掴んで引き上げるようにして腰周りに着用しなければならないことがあるが、従来の紙おむつの場合、図１８に示すように、紙おむつの後身頃のウエスト部が臀部の膨らみに引っ掛かり、十分に引き上げられず、紙おむつが不完全な状態で着用されてしまうことがあった。そして、紙おむつの着用が不完全な状態であり、腰周りにフィットしていないことによって、尿などの体液漏れの原因となってしまうことがあった。
【０００７】
そこで本発明の主たる課題は、装着時に容易におむつを引上げでき、前身頃及び／又は後身頃において身体との密着性に優れたパンツ型使い捨ておむつを提供することにある。
【課題を解決するための手段】
【０００８】
前記課題を解決するために請求項１に係る本発明として、吸収体を含む吸収性本体と、この吸収性本体の外面側に一体的に設けられた外装シートとを備え、製品状態で前記外装シートの前身頃と後身頃とが、その両側端の接合縁部において接合されることによりウエスト開口部及び左右一対のレッグ開口部が形成されたパンツ型使い捨ておむつにおいて、
前記外装シートは、前記ウエスト開口部縁又はその近傍を始端として股下側に延び、股下側で迂回して再び前記ウエスト開口部縁又はその近傍に至るとともに、股下側に向かう往曲線と、股下側から戻る復曲線との幅が前記ウエスト開口部縁から股下側に向かって漸次狭まるように配置された１又は複数の装着用弾性部材を備えることを特徴とするパンツ型使い捨ておむつが提供される。
【０００９】
上記請求項１記載の発明は、外装シートに対して、前記ウエスト開口部縁又はその近傍を始端として股下側に延び、股下側で迂回して再び前記ウエスト開口部縁又はその近傍に至るとともに、股下側に向かう往曲線と、股下側から戻る復曲線との幅が前記ウエスト開口部縁から股下側に向かって漸次狭まるように配置された１又は複数の装着用弾性部材を設けるようにするものである。
【００１０】
従って、着用者がウエスト開口部を掴んで上方側におむつを引き上げようとすると、前記装着用弾性部材にその作用力が伝わり、その弾性力によっておむつを簡単に引き上げできるようになる。また、前記装着用弾性部材は、前身頃及び／又は後身頃全体に配置されるため、装着時におむつを身体に密着させることができる。
【００１１】
請求項２に係る本発明として、前記装着用弾性部材の股下側迂回部は、前身頃と後身頃との折り畳み線より±１００mmの範囲に位置する請求項１記載のパンツ型使い捨ておむつが提供される。
【００１２】
上記請求項２記載の発明では、前記装着用弾性部材の股下側迂回部を、前身頃と後身頃との折り畳み線より±１００mmの範囲に位置させるものである。換言すれば、装着用弾性部材が、折り畳み線の近傍まで延在して配置されていることにより、装着時におむつを引き上げた際、下側まで延在している装着用弾性部材の弾性力が相対的に重量のある吸収性本体まで伝わり、吸収性本体を簡単に引き上げできるようになる。
【００１３】
請求項３に係る本発明として、前記外装シートは、前記ウエスト開口部周りに配置されたウエスト部弾性部材及び／又は前記前身頃及び前記後身頃におけるそれぞれの一方の接合縁部から他方の接合縁部に亘り、上下方向に間隔をおいて互いに略平行に配設された複数の腰周り弾性部材を備え、
前記ウエスト部弾性部材及び／又は腰周り弾性部材は、該弾性部材の周面に塗布された接着剤によって前記外装シートに固着され、前記装着用弾性部材は、少なくとも前記ウエスト部弾性部材及び／又は腰周り弾性部材の配設領域において、該装着用弾性部材の周面に接着剤が塗布されることなく、前記ウエスト部弾性部材及び／又は腰周り弾性部材との交差部において、該ウエスト部弾性部材及び／又は腰周り弾性部材の周面に塗布された接着剤によって固着されている請求項１〜２いずれかに記載のパンツ型使い捨ておむつが提供される。
【００１４】
上記請求項３記載の発明では、ウエスト部弾性部材及び／又は腰周り弾性部材については、該弾性部材の周面に塗布された接着剤によって前記外装シートに固着し、前記装着用弾性部材については、少なくとも前記ウエスト部弾性部材及び／又は腰周り弾性部材の配設領域において、該装着用弾性部材の周面に接着剤が塗布されることなく、前記ウエスト部弾性部材及び／又は腰周り弾性部材との交差部において、該ウエスト部弾性部材及び／又は腰周り弾性部材の周面に塗布された接着剤によって固着するものである。従って、各弾性部材が密集する前身頃及び／又は後身頃部分において、接着剤の使用量及び範囲が最小化されるため、接着剤によるシートの硬化を防止でき、柔らかさを与えることができる。
【００１５】
また、前記装着用弾性部材は、前記ウエスト部弾性部材及び／又は腰周り弾性部材と交差するとともに、各交差点において両者の弾性部材が結合されているため、着用者がウエスト開口部を掴んで上方側におむつを引き上げようとすると、前記装着用弾性部材にその作用力が伝わるとともに、この作用力が前記ウエスト部弾性部材及び／又は腰周り弾性部材に効率よく伝わるため、その弾性力によっておむつを簡単に引き上げできるようになる。なお、おむつの引き上げを容易化するためには、前記外装シートは少なくとも前記ウエスト部弾性部材を備え、装着用弾性部材はこのウエスト部弾性部材と結合する関係であることが望ましい。
【００１６】
請求項４に係る本発明として、前記装着用弾性部材は、前記吸収性本体の上下縁と交差するように配置されている請求項１〜３いずれかに記載のパンツ型使い捨ておむつが提供される。
【００１７】
上記請求項４記載の発明では、前記装着用弾性部材は、前記吸収性本体の上下縁と交差するように配置されることにより、吸収性本体を身体に密着保持できるようになる。
【００１８】
請求項５に係る本発明として、前記装着用弾性部材は、前記吸収性本体の両側縁と交差するように配置されている請求項１〜３いずれかに記載のパンツ型使い捨ておむつが提供される。
【００１９】
上記請求項５記載の本発明では、前記装着用弾性部材は、前記吸収性本体の両側縁と交差するように配置されることにより、特に股下領域において吸収性本体を身体に密着保持できるようになる。
【００２０】
請求項６に係る本発明として、前記装着用弾性部材は、前記吸収性本体の両側縁と交差するように配置されているとともに、少なくとも前記吸収性本体上の横断領域において、外装シートに対して上下方向に間隔をおき水平方向に沿って複数条の列を成すように塗布された接着剤によって固着されるとともに、前記接着剤の間隔幅と前記装着用弾性部材間の接着剤間隔幅方向の離間幅との比がほぼ整数倍に設定され、かつ前記吸収性本体上において、前記装着用弾性部材がおむつ長手方向に沿うライン上で切断され不連続とされる請求項１〜３いずれかに記載のパンツ型使い捨ておむつが提供される。
【００２１】
上記請求項６記載の発明では、前記装着用弾性部材は、前記吸収性本体の両側縁と交差するように配置されているとともに、少なくとも前記吸収性本体上の横断領域において、外装シートに対して上下方向に間隔をおき水平方向に沿って複数条の列を成すように塗布された接着剤によって固着されるビード塗布方式によって固着される条件の下で、吸収体の縮こまりを防止すべく装着用弾性部材を切断するに当たり、前記接着剤の間隔幅と前記湾曲弾性伸縮部材間の接着剤間隔幅方向の離間幅との比がほぼ整数倍になるように設定するものである。
【００２２】
その結果、前記装着用弾性部材と、接着剤ラインとの交点部が、おむつ長手方向に沿うライン上に揃うようになるため、前記装着用弾性部材を吸収性本体上でおむつ長手方向に沿うライン上で切断したとすると、前記装着用弾性部材の固定点が一様に揃うようになる。
【発明の効果】
【００２３】
以上詳説のとおり本発明によれば、装着時に容易におむつを引上げでき、前身頃及び／又は後身頃において身体との密着性に優れたパンツ型使い捨ておむつを得ることができる。
【００２４】
加えて、上記請求項３記載の発明によれば、接着剤によるシートの硬化を防止でき、柔らかさを与えることができる。更に上記請求項６記載の発明によれば、吸収体の縮こまりを防止すべく、弾性部材を吸収性本体上で切断するに当たり、弾性部材の固定点をおむつ長手方向に沿うライン上に一様に揃えることができる。
【発明を実施するための最良の形態】
【００２５】
以下、本発明の実施の形態を図面に基づいて説明する。
【００２６】
図１は本発明に係るパンツ型使い捨ておむつの製品状態外観図であり、図２は展開状態での組み立て図であり、図３は吸収性本体１０の展開図、図４はその横断面図、図５は外装シート２０の展開図である。
【００２７】
図１及び図２に示されるように、本パンツ型使い捨ておむつ１（以下、単におむつともいう。）は、不織布などからなる透液性表面シート１１と、ポリエチレン等からなる防漏シート１２との間に、綿状パルプなどの吸収体１３を介在させた吸収性本体１０と、この吸収性本体１０の外面側に一体的に設けられた外装シート２０とからなり、製品状態で折り畳み線Ｌで前記外装シート２０の前身頃と後身頃とが重ね合わされ、両側端の接合縁部で接合されることによりウエスト開口部２３及び左右一対のレッグ開口部３０が形成された構造のパンツ型おむつである。
【００２８】
以下、前記吸収性本体１０の構造、外装シート２０とその製造方法、おむつの組立手順の順で説明する。
【００２９】
（吸収性本体１０の構造）
先ず最初に、吸収性本体１０の構造の一例について図３及び図４に基づいて詳述する。
【００３０】
吸収性本体１０は、前述したように、不織布などからなる透液性表面シート１１と、ポリエチレン等からなる防漏シート１２との間に、綿状パルプなどの吸収体１３を介在させた構造とされ、体液を吸収保持するものである。
【００３１】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と透液性表面シート１１を透過した体液の拡散性向上のためにクレープ紙１４によって囲繞されている。なお、前記吸収体１３としては、嵩を小さくできるエアレイド吸収体を用いるのが望ましい。
【００３２】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。前記透液性表面シート１１は、吸収体１３の側縁部を巻き込んで吸収体１３の裏面側まで延在している。
【００３３】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００３４】
一方、立体ギャザーＢＳを形成するギャザー不織布１５は、図４に示されるように、折返しによって二重シートとした不織布が用いられ、前記透液性表面シート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３５】
前記二重シート不織布によって形成されたギャザー不織布１５の内部には、起立先端側部分に複数本の糸状弾性部材１６、１６…が配設されている。前記糸状弾性部材１６、１６…は、製品状態において図４(B)に示されるように、弾性伸縮力により吸収体側縁部より突出する不織布部分を起立させて立体ギャザーＢＳを形成するためのものである。
【００３６】
前記防漏シート１２は、前記二重シート状のギャザー不織布１５の内部まで進入し、図４に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３７】
前記糸状弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、テンションは150〜350％、間隔は7.0mm以下として配設するのがよい。なお、糸状弾性部材に代えて、ある程度の幅を有するテープ状弾性部材を用いるようにしてもよい。
【００３８】
前述のギャザー不織布１５を構成する素材繊維も前記透液性表面シート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３９】
（外装シート２０の構造）
外装シート２０は、図２及び図５に示されるように、上層不織布２０Ａ及び下層不織布２０Ｂからなる２層構造の不織布シートとされ、前記上層不織布２０Ａと下層不織布２０Ｂとの間に各種弾性部材２４〜２９が配設され、伸縮性が付与されている。平面形状は、中間両側部に夫々レッグ開口部３０を形成するために凹状の切欠き部が形成され、全体として擬似砂時計形状を成している。
【００４０】
本発明に係る外装シート２０においては、前記弾性部材として、図５に示される展開形状に示されるように、前記ウエスト開口部２３に配置されたウエスト部弾性部材２４，２４…と、前身頃Ｆ及び後身頃Ｂに、上下方向に間隔をおいて水平方向に沿って配置された複数の腰周り弾性部材２５，２５…とを有するとともに、脚周りを封止する脚周り弾性部材２６…、２７…と、前身頃Ｆ及び後身頃Ｂのそれぞれに設けられた装着用弾性部材２８…、２９…とを備えるものである。
【００４１】
以下、前記各種弾性部材毎に詳述する。
【００４２】
前記ウエスト部弾性部材２４，２４…は、前身頃Ｆと後身頃Ｂとが接合された脇部接合縁２１、２２の範囲の内、ウエスト開口部縁２３の近傍に上下方向に間隔をおいて配設された複数条の糸ゴム状弾性部材であり、身体のウエスト部回りを締め付けるように伸縮力を与えることにより紙おむつを身体に装着するためのものである。このウエスト部弾性部材２４は、図示例では糸ゴムを用いたが、例えばテープ状の伸縮部材を用いてもよい。
【００４３】
前記腰周り弾性部材群２５，２５…は、脇部接合縁２１、２２の内、概ね上部から下部までの範囲に亘り、上下方向に間隔をおいて水平方向に沿って配設された糸ゴム状の弾性部材であり、前身頃Ｆ及び後身頃Ｂの腰周り部分に夫々水平方向の伸縮力を与える腰周りシャーリングが形成され、紙おむつを身体に密着させるためのものである。なお、前記ウエスト部弾性部材２４、２４…と腰周り弾性部材群２５、２５…との境界は必ずしも明確でなくてよい。例えば、前身頃Ｆ及び後身頃Ｂに上下方向に間隔をおいて水平方向に配置された弾性部材の内、数は特定できなくても、上部側の何本かがウエスト部弾性部材として機能し、残りの弾性部材が腰周り弾性部材として機能していればよい。
【００４４】
前記脚周り弾性部材２６…，２７…は、前身頃Ｆ側に配置された脚周り弾性部材２６…は、一方の前身頃Ｆの接合縁部２１から股間部を巡って他方の前身頃接合縁部２１に連続して配設された１または複数の弾性伸縮部材であり、後身頃Ｂ側に配置された脚周り弾性部材２７…は、一方の後身頃Ｂの接合縁部２２から股間部を巡って他方の後身頃接合縁部２２に連続して配設された１または複数の弾性伸縮部材である。紙おむつの股間部位では、前記脚周り弾性部材２６…と、脚周り弾性部材２７…とは、交差することなく接近しながら紙おむつの幅方向に沿って配設されている。
【００４５】
前記装着用弾性部材２８…、２９…は、前身頃Ｆ及び後身頃Ｂのそれぞれにおいて、前記ウエスト開口部縁２３又はその近傍を始端として股下側に延び、股下側で迂回して再び前記ウエスト開口部縁２３又はその近傍に至るとともに、股下側に向かう往曲線と、股下側から戻る復曲線との幅が前記ウエスト開口部縁２３から股下側に向かって漸次狭まるように配置された１又は複数の、図示例では２本の弾性部材である。
【００４６】
前記装着用弾性部材２８…、２９…は、着用者が腕力が弱かったり、腕が臀部側に回らなかったりする場合であっても、図７に示されるように、ウエスト開口部２３を掴んで上方に引き上げると、腕からの作用力が前記装着用弾性部材２８…、２９…に伝わり、その弾性力によっておむつを容易に引き上げることができるとともに、装着状態ではおむつを身体に密着させることができる。
【００４７】
また、前記装着用弾性部材２８…、２９…の股下側迂回部Ｐ、Ｐは、前身頃Ｆと後身頃Ｂとの折り畳み線Ｌより±１００mm以内、好ましくは±５０mm以内の範囲に位置するのが望ましい。換言すれば、前記装着用弾性部材２８…、２９…の股下側迂回部Ｐを、前記折り畳み線Ｌ位置の近傍位置まで延在させることによって、相対的に重量のある吸収性本体１０を容易に持上げできるようになる。
【００４８】
また、同図に示されるように、前記装着用弾性部材２８…、２９…は、前記吸収性本体１０の上下縁１０ａ、１０ｂと交差するように配置することにより、前身頃Ｆ及び後身頃Ｂにおいて、吸収性本体１０を身体に密着保持できるようになる。前記装着用弾性部材２８…、２９…は、図６に示されるように、前記吸収性本体の両側縁１０ｃ、１０ｄと交差するように配置することもできる。この場合には、特に股下部において、前記吸収性本体１０を身体に密着保持することができる。
【００４９】
（外装シート２０における装着用弾性部材２８…、２９…の固着方法）
次に、前記外装シート２０における各種弾性部材２４〜２９の固着方法について説明する。
【００５０】
本外装シート２０においては、図８に示されるように、腰回りシャーリングゾーンＫ（ウエスト部含む）において、前記ウエスト部弾性部材２４，２４…及び腰周り弾性部材群２５，２５…が、該ウエスト部弾性部材２４，２４…及び弾性部材２５，２５…の周面に塗布された接着剤によって前記外装シート２０に固着され、前記装着用弾性部材２８…、２９…は、その周面に接着剤が塗布されることなく、前記ウエスト部弾性部材２４…及び腰周り弾性部材２５…との交差部において該ウエスト部弾性部材２４…及び腰周り弾性部材２５…の周面に塗布された接着剤を利用することによって固着されている。
【００５１】
一方、前記腰周りシャーリングゾーンＫ以外のおむつ中間ゾーンＭにおいては、前記装着用弾性部材２８…、２９…は、外装シート２０の少なくとも一方側の不織布２０Ａ（２０Ｂ）に塗布された接着剤によって固着されている。
【００５２】
すなわち、前記腰周りシャーリングゾーンＫにおいては、ウエスト部弾性部材２４…及び腰周り弾性部材２５…については、公知のコントロールシーム方式に従って、弾性部材２４，２５の周面にホットメルト接着剤が塗布された後、外装シート２０に導入されることによって固着されるが、前記装着用弾性部材２８…、２９…は、その周面に接着剤が塗布されることなく、前記ウエスト部弾性部材２４…及び腰周り弾性部材２５…と共に、外装シート２０に導入される際に、前記ウエスト部弾性部材２４…及び腰周り弾性部材２５…との交差部において該ウエスト部弾性部材２４…及び腰周り弾性部材２５…の周面に塗布されたホットメルト接着剤によって固着されるものである。
【００５３】
その結果、図８に示されるように、装着用弾性部材２８…、２９…は、ウエスト部弾性部材２４…及び腰周り弾性部材２５…との交差部（●印部）のみにおいて、ウエスト部弾性部材２４…及び腰周り弾性部材２５…（及び接着剤の拡がりによって外装シート２０にも）に固着される。
【００５４】
従って、弾性部材２４…，２５…、２８…，２９…が密集する前身頃Ｆ及び後身頃Ｂにおいて、接着剤の使用量及び範囲が最小化されるため、接着剤によるシートの硬化を防止し、柔らかさを付与することができる。
【００５５】
具体的には、前記外装シート２０の製造に当たっては、図９に示されるように、ニップローラ部３１の上側に上層不織布２０Ａが供給されるとともに、下側に下層不織布２０Ｂが供給され、かつこれら上層不織布２０Ａと下層不織布２０Ｂとの間に、各種の弾性部材（ウエスト部弾性部材２４，腰周り弾性部材２５、脚周り弾性部材２６…，２７…及び装着用弾性部材２８…、２９…）が供給され、外装シート２０が組み立てられる工程において、脚周り弾性部材２６…，２７…、前記ウエスト部弾性部材２４…及び腰周り弾性部材２５…については、周面塗布装置３５により前記弾性部材２４〜２７の周面にホットメルト接着剤が塗布され、ニップローラ部３１に供給される。これらの弾性部材２４〜２７の内、前記脚周り弾性部材２６，…、２７…は、公知のトラバース装置３３により曲線状に蛇行させながらニップローラー部３１に導入される。
【００５６】
前記弾性部材２４〜２７への周面塗布は、例えば、図１０(A)に示されるように、Ｖ字型の溝を有する部材３６を用いて、溝の底部に接着剤を供給しながら弾性部材を溝に通すコームガン３５による塗布方法や、オメガ（Ω）形状のリング部材を用いて弾性部材に接着剤を塗布するオメガ部材による塗布方法、また、図１０(B)に示されるように、曲折する部材３７に弾性部材を絡ませながら通過させ、接着剤を塗布する、従来より公知のコントロールシーム塗布方式等が挙げられる。
【００５７】
一方、前記装着用弾性部材２８…、２９…は、公知のトラバース装置３２により曲線状に蛇行させながらニップローラー部３１に導入される。前記トラバース装置３２は、先端部分の装着用弾性部材２８…、２９…の保持部を有し、連続ウエブ（シート２０Ａ、２０Ｂ）の幅方向への進退を計算された速度で行わしめることにより、装着用弾性部材２８…、２９…を所定の湾曲形状に配置するようにしたものであり、本発明ではその周面にホットメルト接着剤が塗布されることなく導入され、前記腰周りシャーリング部Ｋでは、前記ウエスト部弾性部材２４…及び腰周り弾性部材２５…との交差部において、該ウエスト部弾性部材２４…及び腰周り弾性部材２５の周面に塗布された接着剤によって固着される。
【００５８】
また、前記上層不織布２０Ａ、下層不織布２０Ｂの内の少なくとも一方側、図示例では上層側不織布２０Ａの腰周りシャーリング部Ｋ以外のおむつ中間ゾーンＭに相当する領域に対しては、ホットメルト接着剤がコーター３４によってカーテン塗布され、前記装着用弾性部材２８…、２９…はおむつ中間ゾーンＭにおいて、上層不織布２０Ａに塗布されたホットメルト接着剤によって固着される。
【００５９】
なお、上記ホットメルト接着剤としては、例えばＥＶＡ系、粘着ゴム系（エラストマー系）、オレフィン系、ポリエステル・ポリアミド系などの種類のものが存在するが、本使い捨ておむつでは、前記粘着ゴム系（エラストマー系）を使用するのが望ましい。
【００６０】
ところで、前記装着用弾性部材２８…、２９…や脚周り弾性部材２６…、２７…が、図６に示されるように、吸収性本体１０を横断する態様の場合、前記装着用弾性部材２８…、２９…、脚周り弾性部材２６…、２７…の収縮力が吸収性本体１０に伝わり吸収体１３を縮こまらせてしまう問題がある。この問題に対処するためには、図１１に示されるように、吸収性本体１０上の装着用弾性部材２８…、２９…及び脚周り弾性部材２６…、２７…を切断し、収縮力が吸収性本体１０に導入されないようにする方法を採用することが望ましい。
【００６１】
前記装着用弾性部材２８…、２９…及び脚周り弾性部材２６…、２７…を吸収性本体１０上で切断し不連続化するには、特開2002-35029号公報、特開2002-178428号公報及び特開2002-273808号公報に記載される切断方法が好適に採用される。同公報に記載される弾性伸縮部材の切断方法は、基本的には図９(B)及び図１２に示されるように、前記外装シート２０となる積層シート２０’を製造した後、表面に凸部を複数個配列したエンボスヒートロール４０と、このエンボスヒートロール４０と対向する対向ロール４１との間に前記積層シート２０’を通過させ、この積層シート２０’の装着用弾性部材２８…、２９…及び脚周り弾性部材２６…，２７…を前記エンボスヒートロール４０の凸部および対向ロール４１間での加圧および加熱の内の少なくとも一方により切断するものである。なお、図９(B)中のＸ領域が切断範囲を示している。
【００６２】
前記対向ロール４１は、同図１２に示されるように、エンボスヒートロール４０のエンボス部４０ａのみと当接するように、エンボスヒートロール４０と離間させておくと良く、両ロールの回転によって、図１２(b)に示されるように、エンボス部４０ａが下がってくると対向ロール４１と当接することとなる。尚、エンボス部４０ａの表面には、略砂時計状に画成領域４０ｂに、小さな凸部が更に形成されていて、実際には、これらの凸部の先端面が対向ロール４１に当接し弾性部材を細かく切断する。
【００６３】
一方、前記装着用弾性部材２８…、２９…をシートに固着するに際して、シート側の弾性部材配設領域にホットメルト接着剤を一様にカーテン状に塗布し、その上に弾性伸縮部材を導入し固定する方法を採用した場合には、シート自体がホットメルト接着剤により硬くなって装着感が悪くなってしまうため、近年は接着剤を所定の間隔を空けて複数条の列を成すように塗布し、弾性伸縮部材を固着する方法が提案されている（以下、ビード塗布方式という）。
【００６４】
しかしながら、図１５に示されるように、前記ビード塗布方式を採用する条件の下で、吸収体の縮こまりを無くすために吸収性本体１０上で弾性部材を切断した際、弾性部材の固定点（固定点ラインＳ）が揃わずジグザグ状なってしまうという問題がある。その結果、吸収体のフィット性が損なわれたり、吸収体に皺が発生したりするなどの問題が発生するとともに、外観が悪くなるなどの問題があった。
【００６５】
そこで、本使い捨ておむつにおいては、前記装着用弾性部材２８…、２９…及び脚周り弾性部材２６…、２７…を吸収性本体１０上で切断し不連続化するに当たり、各装着用弾性部材２８…、２９…及び脚周り弾性部材２６…、２７…の固定点が、おむつ長手方向のほぼ同一直線上に揃うようにするために、図１３に示されるように、前記接着剤の間隔幅Ｓ１と、前記装着用弾性部材２８…、２９…（及び脚周り弾性部材２６…、２７…）間の接着剤間隔幅方向の離間幅Ｓ２との比がほぼ整数倍、図示例では１倍に設定される。そうすると、接着剤ラインと装着用弾性部材２８…、２９…との交点（○印部）は、おむつ長手方向に一定位置に規制されるため、前記装着用弾性部材２８…、２９…（及び脚周り弾性部材２６…、２７…）を吸収性本体１０上でおむつ長手方向に沿うライン位置で切断したとすると、装着用弾性部材２８…、２９…（及び脚周り弾性部材２６…、２７…）の固定点は、おむつ長手方向のほぼ同一直線上（固定点ラインＳ）に揃うようになる。
【００６６】
他の形態例を幾つか示せば、例えば図１４(A)は前記接着剤の間隔幅Ｓ１と前記装着用弾性部材２８…、２９…間の接着剤間隔幅方向の離間幅Ｓ２との比をほぼ２倍に設定した場合の例である。また、前記接着剤線は直線ビードに限らず、図１４(B)に示されるように、それぞれの接着剤ラインがスパイラル状に塗布され、全体として複数条の列を成すように塗布されても良いし、図１４(C)に示されるように、それぞれの接着剤ラインがサミットスプレーによって波状に塗布され、全体として複数条の列を成すように塗布される態様であってもよい。
【００６７】
（紙おむつの組立手順）
前記吸収性本体１０と外装シート２０とは、図２に示されるように、外装シート２０の上面側に吸収性本体１０がホットメルト等の接着剤によって接着され一体化される。そして、吸収性本体１０および外装シート２０が折り畳み線Ｌにて前後方向に折り重ねられ、その両側部が相互に熱溶着またはホットメルト接着剤などによって接合されることによりパンツ型紙おむつに組み立てられる。
【００６８】
〔他の形態例〕
(1)上記形態例では、前身頃Ｆ及び後身頃Ｂの両方に、装着用弾性部材２８…、２９…を配置したが、前記前身頃Ｆ及び後身頃Ｂの一方側に配置するようにしてもよい。
(2)上記形態例では、外装シート２０は、ウエスト部弾性部材２４，２４…及び腰周り弾性部材群２５，２５…の両方を備えるようにしたが、これら弾性部材２４…、２５…の内の一方のみを備えることとしてよい。
(3)上記形態例では、装着用弾性部材２８…、２９…の切断に当たり、前記エンボスヒートロール４０により所定領域の弾性伸縮部材を細かく切断するようにしたが、特開2000-26015号公報に記載されるように、直線状の切断歯を備えるロールカッターにより切断するようにようにしてもよい。
【図面の簡単な説明】
【００６９】
【図１】本発明に係るパンツ型使い捨ておむつ１の製品状態外観図である。
【図２】展開状態での組み立て図である。
【図３】吸収性本体１０の平面図である。
【図４】(A)は吸収性本体１０の展開状態での半横断面図、(B)はその製品状態を示す図である。
【図５】外装シート２０の展開図である。
【図６】装着用弾性部材２８、２９の他の配置態様を示す外装シート２０の展開図である。
【図７】本パンツ型使い捨ておむつの装着要領を示す図である。
【図８】外装シート２０の装着用弾性部材２８（２９）の固着態様説明図である。
【図９】外装シート２０の組立て要領を示す、(A)は模式図、(B)はその要部平面図である。
【図１０】コントロールシーム方式における接着剤の塗布要領例を示す図である。
【図１１】装着用弾性部材２８…、２９…及び脚周り弾性部材２６…，２７…を吸収性本体１０上で切断した場合の外装シート２０の展開図である。
【図１２】エンボスヒートロール４０及び対向ロール４１の動作態様の説明図である。
【図１３】本発明による装着用弾性伸縮部材２８…、２９…の切断方法を示す説明図である。
【図１４】(A)〜(C)は本発明切断方法の変形例を示す図である。
【図１５】従来の弾性部材の切断方法を示す説明図である。
【図１６】従来のパンツ型使い捨て紙おむつ（その１）の展開図である。
【図１７】従来のパンツ型使い捨て紙おむつ（その２）の正面図である。
【図１８】従来のパンツ型使い捨ておむつの着用時の状態を示す説明図である。
【符号の説明】
【００７０】
１…紙おむつ、１０…吸収性本体、１１…透液性表面シート、１２…防漏シート、１３…吸収体、１４…クレープ紙、１５…ギャザー不織布、１６…糸状弾性部材、２０…外装シート、２１・２２…脇部接合縁、２３…ウエスト開口部（ウエスト開口部縁）、２４…ウエスト部弾性部材、２５…腰周り弾性部材、２６・２７…脚周り弾性部材、２８・２９…装着用弾性部材、３０…レッグ開口部、Ｆ…前身頃、Ｂ…後身頃
【図１】
2006271450.tif 000003
【図２】
2006271450.tif 000004
【図３】
2006271450.tif 000005
【図４】
2006271450.tif 000006
【図５】
2006271450.tif 000007
【図６】
2006271450.tif 000008
【図７】
2006271450.tif 000009
【図８】
2006271450.tif 000010
【図９】
2006271450.tif 000011
【図１０】
2006271450.tif 000012
【図１１】
2006271450.tif 000013
【図１２】
2006271450.tif 000014
【図１３】
2006271450.tif 000015
【図１４】
2006271450.tif 000016
【図１５】
2006271450.tif 000017
【図１６】
2006271450.tif 000018
【図１７】
2006271450.tif 000019
【図１８】
2006271450.tif 000020